(57)【要約】 【課題】  切断専用工具を用いることなく板状体に容易に開口を形成することができる板状体の開口形成構造を提供すること。【解決手段】  壁体１１から切取部１３を切り取ったときに壁体１１の縁部１８に開放する開口１２が形成されるように壁体１１に切取部１３の輪郭線１４を規定し且つ壁体１１と切取部１３とを隔絶する切断条１５の途中に、切取部１３と壁体１１とを連結する一対の連結部１６を形成し、切取部１３を壁体１１から切り取るべく各連結部１６を結ぶ軸線を中心に切取部１３を交番方向へ揺動させることにより各連結部１６を切断する。【選択図】  図１ 
2006255846.tif 000002
【特許請求の範囲】
【請求項１】
板状体から切取部を切り取ったときに前記板状体の縁部に向かって開放する開口が形成されるように前記板状体に前記切取部の輪郭線を規定し且つ前記板状体と前記切取部とを隔絶する切断条の途中に、前記切取部と前記板状体とを連結する一対の連結部が形成され、該一対の連結部は、該一対の連結部を結ぶ軸線を中心にして前記切取部を交番方向へ揺動させることにより切断されることを特徴とする板状体の開口形成構造。
【請求項２】
前記板状体の前記縁部から前記切取部に至る箇所にそれぞれ面取り部が形成されていることを特徴とする請求項１に記載の板状体の開口形成構造。
【請求項３】
前記面取り部は、それぞれ前記各連結部に到達しており、前記切断条に共用されていることを特徴とする請求項２に記載の板状部材の開口形成構造。
【請求項４】
前記各連結部は、それぞれ半抜き加工により形成されていることを特徴とする請求項１乃至３に記載の板状部材の開口形成構造。
【発明の詳細な説明】
【技術分野】
【０００１】
本発明は、例えば画像形成装置、プリンター等のハウジングの壁体等を構成する板状体に開口を必要に応じて形成することができる開口形成構造に関する。
【背景技術】
【０００２】
従来、例えば画像形成装置の設置後、該画像形成装置のハウジングにオプションパーツを取り付けたり、ハウジング内に収容された電装部品に電装ケーブルを接続したりするために、ハウジングの壁体の所定領域に開口を形成するための開口形成構造が知られている（例えば、特許文献１参照。）。
【０００３】
このような開口形成構造では、ハウジングの壁体に、楕円状の切取部の輪郭線を規定する切断条が切取部と壁体とを連結する一対の連結部を介して予め形成されている。一対の連結部は、切取部の輪郭線の互いに対向する位置に形成されている。また、壁体には、各連結部を境にして輪郭線の延びる方向前後にそれぞれスリット孔が形成されている。
【０００４】
壁体に開口を形成する際、各スリット孔に例えばニッパ等の切断専用工具の刃先を挿入して各連結部をそれぞれ切断することにより切取部を壁体から分離させ、切取部を壁体から除去する。これにより、壁体の所定領域に開口が形成される。
【特許文献１】特開平７−２６０１９５号（第３−５頁、図２）
【発明の開示】
【発明が解決しようとする課題】
【０００５】
しかしながら、従来の開口形成構造では、各連結部を切断するために、各連結部の切断に切断専用工具を用いる必要があるので、切断専用工具が用意されていないと、開口を容易に形成できないという不都合がある。
【０００６】
そこで、本発明の目的は、切断専用工具を用いることなく板状体に容易に開口を形成することができる板状体の開口形成構造を提供することにある。
【課題を解決するための手段】
【０００７】
上記課題を解決するために、請求項１に記載の発明は、板状体から切取部を切り取ったときに前記板状体の縁部に向かって開放する開口が形成されるように前記板状体に前記切取部の輪郭線を規定し且つ前記板状体と前記切取部とを隔絶する切断条の途中に前記切取部と前記板状体とを連結する一対の連結部が形成され、該一対の連結部は、該一対の連結部を結ぶ軸線を中心にして前記切取部を交番方向へ揺動させることにより切断されることを特徴とする。
【０００８】
請求項２に記載の発明は、請求項１に記載の発明において、前記板状体の前記縁部から前記切取部に至る箇所にそれぞれ面取り部が形成されていることを特徴とする。
【０００９】
請求項３に記載の発明は、請求項２に記載の発明において、前記面取り部は、それぞれ前記各連結部に到達しており、前記切断条に共用されていることを特徴とする。
【００１０】
請求項４に記載の発明は、請求項１乃至３に記載の発明において、前記各連結部は、それぞれ半抜き加工により形成されていることを特徴とする。
【発明の効果】
【００１１】
請求項１に記載の構成によれば、板状体と切取部とを隔絶する切断条が、切取部を板状体から切り取ったときに板状体に形成される開口が板状体の縁部に向かって開放するように形成されているので、切取部を板状体から切り取る際、切取部を交番方向に揺動させることにより各連結部を容易に切断することができる。これにより、切断専用工具を用いることなく板状体に開口を容易に形成することができる。
【００１２】
請求項２に記載の構成によれば、板状体の縁部から切取部に至る箇所にそれぞれ面取り部が形成されているので、板状体から切取部を切り取ったときに板状体及び切取部に鋭利な角が形成されることを防止することができる。これにより、板状体に形成された開口内に部材を挿入するとき又は開口内に作業者の手を入れたときに、部材や作業者の手が板状体の各角部で傷付けられることを防止することができ、また、板状体から切り取った切取部の各角部で他部材や作業者が傷付けられることを確実に防止することができる。
【００１３】
請求項３に記載の構成によれば、面取り部は、それぞれ各連結部に到達しており、切断条に共用されているので、切取部を揺動させたときに、切取部と板状体とが接触することを防止することができる。これにより、切取部の揺動による板状体の変形を確実に防止することができる。
【００１４】
請求項４に記載の構成よれば、切取部の揺動時に交番応力が集中して作用する各連結部が、それぞれ半抜き加工により形成されていることから、各連結部の板状体に連結する部分の厚さが、それぞれ切取部の板厚よりも薄くなっているので、より小さい力で各連結部をそれぞれ切断することができる。
【発明を実施するための最良の形態】
【００１５】
以下、本発明を図示の実施例に沿って説明する。
【実施例】
【００１６】
図１において、１１は、板状体としての壁体であり、１３は、壁体１１に開口１２を形成するために壁体１１から切り取られる切取部である。また、１５は、切取部１３と壁体１１とを隔絶し、切取部１３の輪郭線１４を規定する切断条である。
【００１７】
切断条１５は、壁体１１の縁部１８から壁体１１の内方へ延び、内方から縁部１８に再び戻るＵ字状をなしている。すなわち、切断条１５は、滑らかに湾曲する一対の湾曲部１９と、一対の直線部２０と、円弧状の円弧部２１とを有する。
【００１８】
各湾曲部１９は、縁部１８の延びる方向に互いに間隔を開けて且つ壁体１１の縁部１８から壁体１１の内方へ延びている。各直線部２０は、壁体１１の内方へ向けて互いに平行に直線的に延びている。円弧部２１は、各直線部２０を互いに連結している。
【００１９】
各直線部２０には、それぞれ切取部１３と壁体１１とを連結するための一対の連結部１６が形成されている。各連結部１６は、それぞれ切取部１３を各直線部２０に直角に切り込む一対の切込み２３により規定されている。
【００２０】
各一対の切込み２３は、それぞれ各直線部２０の伸長方向に沿って互いに間隔をおいて形成されており、それぞれ互いに平行に延びている。各連結部１６の各直線部２０の伸長方向に沿った幅は、１〜３ｍｍに設定されている。
【００２１】
各連結部１６には、図２に示すように、半抜き加工が施されている。この半抜き加工により、各連結部１６の切取部１３と壁体１１とを連結する部分の厚さは、それぞれ壁体１１から押出された分だけ切取部１３の板厚よりも薄くなっている。更に、各連結部１６には、半抜き加工の抜き方向へ向けて絞り加工が施されている。これにより、各連結部１６は、それぞれ壁体１１から切取部１３へ向けて傾斜している。この各連結部１６の絞り加工により、切取部１３には、壁体１１の切取部１３以外の部分との間に段差ｄが付けられている。
【００２２】
切取部１３には、図示しないドライバーの等の工具の先端が差し込まれる差込孔１７が形成されている。差込孔１７は、各連結部１６を結ぶ軸線Ｌに沿って延びている。
【００２３】
切取部１３を壁体１１から切り取る際、例えばドライバーの先端を切取部１３に形成された差込孔１７に差し込み、工具をその先端を中心に交番方向へ揺動させることにより、軸線Ｌを中心として切取部１３を反復して揺動させる。各連結部１６に施された半抜き加工により、各連結部１６の切取部１３と壁体１１とを連結する部分の厚さがそれぞれ壁体１１から押出された分だけ切取部１３の板厚よりも薄くなっており、また、加工時に各連結部１６が抜き方向へ引っ張られることにより各連結部１６の切取部１３と壁体１１とを連結する部分に応力が集中しているので、切取部１３の反復した揺動によって各連結部１６の前記部分に作用する交番応力により、各連結部１６の前記部分が切取部１３の輪郭線１４にほぼ沿うように切断される。各連結部１６がそれぞれ切断されることにより、切取部１３は壁体１１から分離される。壁体１１から分離した切取部１３を壁体１１から除去することにより、図３に示すように、壁体１１の縁部１８へ向けて開放する開口１２が壁体１１に形成される。
【００２４】
本実施例によれば、壁体１１と切取部１３とを隔絶する切断条１５が、切取部１３を壁体１１から切り取ったときに壁体１１に形成される開口１２が壁体１１の縁部１８へ向けて開放するように形成されているので、切取部１３を壁体１１から切り取る際、切取部１３を交番方向に揺動させることにより各連結部１６を容易に切断することができる。これにより、切断専用工具を用いることなく壁体１１に開口１２を容易に形成することができる。
【００２５】
また、本実施例によれば、切取部１３を揺動させたときに交番応力が集中する各連結部１６の切取部１３と壁体１１とを連結する部分の厚さがそれぞれ切取部１３の板厚よりも薄くなるように、各連結部１６がそれぞれ半抜き加工により壁体１１から押し出されているので、切取部１３を揺動させたとき、より小さい力で各連結部１６をそれぞれ切取部１３の輪郭線１４にほぼ沿うように切断することができる。各連結部を従来のような切断専用工具で切断した場合、各連結部を切取部の輪郭線に沿って切断することが困難であり、切取部が切り取られた壁体にいわゆるバリが残ってしまうことがある。このため、このバリを例えばヤスリで削る作業が必要となる。一方、本発明によれば、各連結部１６に半抜き加工を施すことにより、各連結部１６を切取部１３の輪郭線１４にほぼ沿って切断することができるので、従来のような研磨作業を不要とすることができる。
【００２６】
更に、本実施例によれば、各連結部１６への絞り加工により、切取部１３と壁体１１の切取部１３以外の部分との間に段差ｄが設けられているので、切取部１３を揺動させたときに、切取部１３が壁体１１に面一になるように形成されている場合に比べて、切取部１３の軸線Ｌを中心とした力のモーメントが大きくなる。これにより、各連結部１６の切取部１３と壁体１１とを連結する部分により大きい交番応力を作用させることができる。これにより、各連結部１６の前記部分をより容易に切断することができる。
【００２７】
また、本実施例によれば、切断条１５が一対の湾曲部１９を有するので、壁体１１から切取部１３を切り取ったときに壁体１１に鋭利な角が形成されることを防止することができるので、壁体１１に形成された開口１２内に部材を挿入するとき又は開口１２内に作業者の手を入れたときに、部材や作業者の手が壁体１１の各角部２５で傷付けられることを確実に防止することができる。
【００２８】
本実施例では、切取部１３を壁体１１から切り取る際、切取部１３を軸線Ｌを中心として揺動させるべく工具の先端を差し込むための差込孔１７を切取部１３に形成した例を示したが、差込孔１７を不要とすることができる。この場合、例えばペンチのように挟む機能を有する工具又は作業者の手で切取部１３の壁体１１の縁部１８の一部を構成する端部２２を挟み込み、その状態で切取部１３を軸線Ｌを中心として揺動させることができる。
【００２９】
また、本実施例では、切断部が一対の湾曲部１９を有する例を示したが、これに代えて、図４に示すように、壁体１１の縁部１８及び切断条１５で規定される一対の角部２５と、切取部１３の端部２２と切断条１５とで規定される一対の角部２７のそれぞれに、面取り部２８を形成することができる。
【００３０】
この場合、壁体１１から切取部１３を切り取ったときに壁体１１及び切取部１３に鋭利な角が形成されることを防止することができるので、壁体１１に形成された開口１２内に部材を挿入するとき又は開口１２内に作業者の手を入れたときに、部材や作業者の手が壁体１１の各角部２５で傷付けられることを確実に防止することができることに加え、壁体１１から切り取られた切取部１３の各角部２７で他部材や作業者が傷付けられることを確実に防止することができる。
【００３１】
また、切取部１３の各角部２７に形成された図４に示す面取り部２８に代えて、図５に示すように、切取部１３の各角部２７に、それぞれ切取部１３の端部２２から各連結部１６に到達する一対の切取面２９を形成することができる。
【００３２】
この一対の切取面２９の形成により、各連結部１６を切断すべく切取部１３を揺動させたときに、切取部１３と壁体１１とが接触することを防止することができる。これにより、切取部１３の揺動時に、壁体１１が変形することを確実に防止することができる。
【００３３】
更に、本実施例では、切取部１３が壁体１１の縁部１８に形成された例を示したが、これに代えて、例えば壁体１１に形成された孔等の開口の縁部に切取部１３を形成することができる。
【図面の簡単な説明】
【００３４】
【図１】本発明に係る開口形成構造を概略的に示す平面図である。
【図２】図１のI−I線に沿った縦断面図である。
【図３】壁体から切取部を切り取った状態を概略的に示す平面図である。
【図４】本発明に係る開口形成構造の変形例を概略的に示す平面図である。
【図５】本発明に係る開口形成構造の別の変形例を概略的に示す平面図である。
【符号の説明】
【００３５】
１１  板状体（壁体）
１３  切取部
１８  縁部
１２  開口
１４  輪郭線
１５  切断条
１６  連結部
１０  開口形成構造
２８  面取り部
【図１】
2006255846.tif 000003
【図２】
2006255846.tif 000004
【図３】
2006255846.tif 000005
【図４】
2006255846.tif 000006
【図５】
2006255846.tif 000007